(57)【要約】【課題】  複数の記録メディアを装備したビデオカメラにおいて、各記録メディア間で簡便に且つ安全にデータの複写あるいは移動を行うビデオカメラを提供する。【解決手段】  ＤＳＣ２８によりムーブ元のＣＦカード２０からムーブするファイルを選択し確定したファイルをＳＤＲＡＭ３３に一旦記憶させる。ＤＳＣ２８は、ムーブ先であるＳＤカード３１のディレクトリ構造を検出し同じファイル名が存在する場合には、ＳＤＲＡＭ３３に一旦記憶させたデータにＳＤカードに存在するファイル名に連続する新たなファイル名を付与した後、ＳＤカードにデータを書き込みＣＦカードのデータを削除するようにする。【選択図】      図１
2006042115.tif 000002
【特許請求の範囲】
【請求項１】
複数種類の記録媒体を用いて画像を記録再生可能なビデオカメラにおいて、前記複数種類の記録媒体間でデータを転送する際、転送元の記録媒体に記録されているデータを前記記録されているデータとは異なるフォルダまたはファイル名称を付して転送先の記録媒体に転送して記録することにより前記転送先記録媒体に既に記録されているデータの誤消去を防止するようにしたビデオカメラであって、
前記複数種類の記録媒体間のデータを転送する際、転送元の記録媒体及び転送先の記録媒体を指定する指定手段と、
前記指定手段により指定された前記転送元の記録媒体から転送するデータのフォルダまたはファイルを選択する選択手段と、
前記選択されたフォルダまたはファイルの名称を変更する名称変更手段と、
前記名称変更手段により変更されたフォルダまたはファイルの名称を前記選択されたフォルダまたはファイルに付与し前記転送先の記録媒体に転送記録する記録手段と、
を有することを特徴とするビデオカメラ。
【請求項２】
前記転送先の記録媒体に前記選択されたフォルダまたはファイルと同一の名称のフォルダまたはファイルが存在するか検出する名称検出手段をさらに有し、
前記転送先の記録媒体に前記選択されたフォルダまたはファイルと同一の名称のフォルダまたはファイルが存在する場合は、前記名称変更手段により前記選択されたフォルダまたはファイルの名称を変更して前記転送先の記録媒体に転送記録し、前記転送先の記録媒体に前記選択されたフォルダまたはファイルと同一の名称のフォルダまたはファイルが存在しない場合は、前記選択されたフォルダまたはファイルと同一の名称で前記転送先の記録媒体に転送記録するようにしたことを特徴とする請求項１に記載のビデオカメラ。
【発明の詳細な説明】
【技術分野】
【０００１】
本発明は、撮像装置によって撮像した画像をデータとして記録メディアに記録するビデオカメラに関し、特に記録メディアにデータを記録する際のファイル名付与方法に特徴を有するビデオカメラに関する。
【背景技術】
【０００２】
従来より、交換可能な記録メディアに画像データを記録するビデオカメラが知られている。この種のビデオカメラにおいて、メモリカードなどの記録メディアに記録されている画像データには、ファイルとして唯一特定されるファイル名が付与され、そのファイル名をもとに画像の識別・検索を行うことができるようになっている。また、そのファイル名は画像の撮影順序を明確に表すように付与されており、画像ファイルを再生表示する際には、そのファイル名をもとに撮影順に再生表示処理を行うようにしている（例えば、特許文献１参照。）。
【０００３】
また、記録メディアを複数装備したビデオカメラも提案されている（例えば、特許文献２参照。）。特許文献２によれば、記憶容量の大きいハードディスクを主記録メディアとしてビデオカメラを構成する際、さらに半導体カードメモリを装備し、ビデオカメラの振動がハードディスクに与える影響を軽減するようにしたことが記載されている。
【０００４】
【特許文献１】特開２００２−２４７４３５公報
【特許文献２】特開２００２−３６９１２１公報
【発明の開示】
【発明が解決しようとする課題】
【０００５】
ところで、上述のようにメモリカードなどの記録メディアに記録されている画像データには、ファイルとして唯一特定されるファイル名が付与され、そのファイル名をもとに画像の識別・検索を行うことができるようになっている。また、そのファイル名は画像の撮影順序を明確に表すように付与されており、画像ファイルを再生表示する際には、そのファイル名をもとに撮影順に再生表示処理を行うようにしている。通常は、メモリカードの残容量がなくなるとパソコン（以下、ＰＣと記す）などを用いて他の記録メディアにメモリカードのデータを移すようにしている。
【０００６】
複数の記録メディアを装備したビデオカメラにおいては、特許文献２にあるように第１の記録メディアに一旦記録し、同じデータを第２の記録メディアに移設すという使用形態では従来のファイル名付与方法は問題とならない。しかしながら、装備している複数の記録メディアにおいて、それぞれ独立してデータを記憶するように構成されているビデオカメラにおいて従来のファイル名付与方法でファイル管理を行い、そのビデオカメラにおいて記録メディア間でデータの複写あるいは移動を行う場合、同じ名前のファイルが存在し、複写あるいは移動ができない、あるいは上書きされてしまい保存データが消失してしまうという問題があった。
【０００７】
本発明は、以上の点に鑑みなされたもので、複数の記録メディアを装備したビデオカメラにおいて、各記録メディア間で簡便に且つ安全にデータの複写あるいは移動を行うビデオカメラを提供することを目的とする。
【課題を解決するための手段】
【０００８】
本発明は、上記課題を解決するために、以下の１）〜２）に記載の手段よりなる。
すなわち、
１）複数種類の記録媒体を用いて画像を記録再生可能なビデオカメラにおいて、前記複数種類の記録媒体間でデータを転送する際、転送元の記録媒体に記録されているデータを前記記録されているデータとは異なるフォルダまたはファイル名称を付して転送先の記録媒体に転送して記録することにより前記転送先記録媒体に既に記録されているデータの誤消去を防止するようにしたビデオカメラであって、
前記複数種類の記録媒体間のデータを転送する際、転送元の記録媒体及び転送先の記録媒体を指定する指定手段と、
前記指定手段により指定された前記転送元の記録媒体から転送するデータのフォルダまたはファイルを選択する選択手段と、
前記選択されたフォルダまたはファイルの名称を変更する名称変更手段と、
前記名称変更手段により変更されたフォルダまたはファイルの名称を前記選択されたフォルダまたはファイルに付与し前記転送先の記録媒体に転送記録する記録手段と、
を有することを特徴とするビデオカメラ。
２）前記転送先の記録媒体に前記選択されたフォルダまたはファイルと同一の名称のフォルダまたはファイルが存在するか検出する名称検出手段をさらに有し、
前記転送先の記録媒体に前記選択されたフォルダまたはファイルと同一の名称のフォルダまたはファイルが存在する場合は、前記名称変更手段により前記選択されたフォルダまたはファイルの名称を変更して前記転送先の記録媒体に転送記録し、前記転送先の記録媒体に前記選択されたフォルダまたはファイルと同一の名称のフォルダまたはファイルが存在しない場合は、前記選択されたフォルダまたはファイルと同一の名称で前記転送先の記録媒体に転送記録するようにしたことを特徴とする１）に記載のビデオカメラ。
【発明の効果】
【０００９】
本発明の「ビデオカメラ」によれば、複数の記録メディア間のデータ複写あるいは移動を行う際、データ書き込み先のデータ構造を検出し再構築して書き込むようにしたので、簡便で且つ安全に記録メディア間のデータ複写あるいは移動することが可能なビデオカメラを提供することができる。
また、ＰＣのように表示デバイスや文字入力するためのキーボードを必要とせず、データ書き込み先の記録メディアに新たなファイル名を付与することが可能なビデオカメラを提供することができる。
【発明を実施するための最良の形態】
【００１０】
以下、本発明に係るビデオカメラの発明を実施するための最良の形態につき、好ましい実施例により説明する。
【実施例１】
【００１１】
図１は実施例１に適用されるビデオカメラの構成を示した概略ブロック図である。記録メディアにコンパクトフラッシュカード（登録商標：以下、ＣＦカードと記す）、ＳＤカードを用いた構成を例に説明する。同図に示すようにビデオカメラは、光学系１１、撮像素子１２、ＡＦＥブロック１３、画像処理回路１４、カメラ／ＪＰＥＧエンコーダ１６、ビデオエンコーダ／デコーダ１７、ＤＶコーデック１８、音声セレクタ／マイクアンプ１９、ＣＦカード２０、オンスクリーンディスプレイ（ＯＳＤ）２１、表示器２２、マイク２３、システムＣＰＵ（中央処理装置）２４、ユーザインタフェース（ＵＩ）２５、時計回路（ＲＴＣ）２６、電源回路（ＲＥＧ）２７、マイコン（ＤＳＣ）２８、音声用ＡＤＣ／ＤＡＣ３０、ＳＤカード（メモリカード）３１、リード・オンリ・メモリ（ＲＯＭ）３２、シンクロナス・ダイナミック・ランダム・アクセス・メモリ（ＳＤＲＡＭ）３３から構成されている。
【００１２】
まず、カメラで撮影した動画像の記録時の動作について説明する。被写体からの入射光は光学系１１を経て撮像素子１２に結像され、ここで光電変換されて例えば１つの画面を２分割したときの各分割画面に対応する計２チャンネルの撮像信号に変換された後、ＡＦＥブロック１３に供給され、ここで各チャンネル毎にそれぞれ相関２重サンプリング（ＣＤＳ）によるＳ／Ｎの改善と、自動利得制御動作によるレベル調整と、Ａ／Ｄ変換動作によるＡ／Ｄ変換などの処理が施されてからディジタル映像信号として画像処理回路１４に供給されて１画面の画像に合成される。
【００１３】
また、画像処理回路１４は、発振器（ＯＳＣ）１５により発振出力された一定周波数のクロック信号が供給され、このクロック信号に基づいてＡＦＥブロック１３のＣＤＳやＡ／Ｄ変換で用いるクロックを発生してＡＦＥブロック１３に供給し、また、撮像素子１２で必要な垂直ドライブ信号を発生して撮像素子１２に供給する。撮像素子１２の水平ドライブ信号は、ＡＦＥブロック１３から供給される。
【００１４】
画像処理回路１４から出力された、１画面のディジタル映像信号（ビデオ信号）は、カメラ／ＪＰＥＧエンコーダ１６に供給され、ここで所定のカメラ信号処理が施されて、最終的に記録するために、例えばディジタルビデオカメラ（ＤＶＣ）規格に合致する有効画素の動画像に画像サイズを変換されて出力される。ビデオエンコーダ／デコーダ１７は、カメラ／ＪＰＥＧエンコーダ１６から供給されたビデオ信号をそのまま出力してＤＶコーデック１８に供給する。
【００１５】
ＤＶコーデック１８は、入力ビデオ信号に対してＤＶ規格に基づいた圧縮処理やシャフリング処理を施すと共に、トラッキング情報、タイムコード、日時情報等の各種制御データを付加し、また音声セレクタ／マイクアンプ１９から入力される音声信号をＡ／Ｄ変換して付加し、更に誤り訂正符号を付加してＤＶフォーマット信号を生成した後、記録に適した信号形態に変調してからＣＦカード２０に供給し記録する。
【００１６】
このとき、ビデオエンコーダ／デコーダ１７において、その入力ビデオ信号に対して機器操作に必要となる文字をオンスクリーンディスプレイ（ＯＳＤ）２１から出力し、内部で合成後に標準方式（ＮＴＳＣ方式等）の映像信号に変調して、本体表示用の表示器（ビューファインダ、液晶表示装置など）２２に出力すると共に、ビデオ信号として外部に出力する。また、マイク２３で収音された音声は、マイク２３で音響−電気変換された後、音声セレクタ／マイクアンプ１９でゲイン調整後にＤＶコーデック１８に供給され、前述したように動画像と一緒にＣＦカード２０に記録される。
【００１７】
システムＣＰＵ（中央処理装置）２４は、操作スイッチ、センサなどのユーザインタフェース（ＵＩ）２５からのデータ、時計回路（ＲＴＣ）２６からの時計信号に基づいて、電源回路（ＲＥＧ）２７の制御信号や、マイコン（ＤＳＣ）２８の制御信号や、図示しない信号線により、他のブロックを統括的に制御する。
【００１８】
次に、記録信号の再生動作について説明する。ＣＦカード２０において再生された信号は、ＤＶコーデック１８にて復調、誤り訂正され、再生動画像信号はＤＶ規格に基づき伸張処理やデシャフリング処理された後、カメラ／ＪＰＥＧエンコーダ１６に一旦出力される。再生音声信号は、ＤＶコーデック１８にてＤ／Ａ変換された後、音声セレクタ／マイクアンプ１９に供給されて増幅された後、スピーカ２９により電気−音響変換されて音声として発音される。
【００１９】
カメラ／ＪＰＥＧエンコーダ１６は、入力された再生動画像信号に対して、必要に応じてズーム、スチル処理などを行ってからビデオエンコーダ／デコーダ１７に出力し、これよりカメラで撮影した動画像のテープ録画モードと同様に表示器２２や外部に出力されて画像閲覧される。
【００２０】
なお、カメラ動画像のテープ録画モードと同じ動作をしている時やテープ再生時には、ＳＤカード（メモリカード）３１への動画像及び音声信号の記録も可能である。例えば、カメラ動画像のテープ録画モードでは、カメラ／ＪＰＥＧエンコーダ１６から、ＤＳＣ２８に対して動画像信号が出力される。また、音声信号が音声セレクタ／マイクアンプ１９から音声用ＡＤＣ／ＤＡＣ３０に対して入力され、ここでＡ／Ｄ変換された後ＤＳＣ２８へ出力される。
【００２１】
ＤＳＣ２８は、動画像信号に対してはＰＣのツールで対応可能な所定のサイズ／フレームレートに変換後にＭＰＥＧ４等の動画圧縮を行い、音声信号に対しても同様にＰＣ上のツールで対応可能なサンプリングレート、ビット数に変換後圧縮を行った後、それらの圧縮した動画像データと音声データを一つのファイルにまとめ、ＳＤカード３１へ書き込む。この時、ＤＳＣ２８に接続されるリード・オンリ・メモリ（ＲＯＭ）３２はプログラムコード、シンクロナス・ダイナミック・ランダム・アクセス・メモリ（ＳＤＲＡＭ）３３は、画像バッファ、作業領域として使用される。
【００２２】
ＳＤカード３１の再生時は、ＳＤカード３１に記録された動画像データ及び音声データは、ＤＳＣ２８で分離及び伸長後に、動画像信号はビデオエンコーダ／デコーダ１７を経由して表示器２２で表示するか又は外部へ出力し、音声信号は、音声用ＡＤＣ／ＤＡＣ３０でＤ／Ａ変換後に音声セレクタ／マイクアンプ１９を介してスピーカ２９より発音させる。
【００２３】
また、カメラ動画像のテープ録画モードと同じ動作をしている時やテープ再生時には、ＳＤカード３１への静止画像の記録も可能である。例えば、カメラ動画像のテープ録画モードと同様にカメラ／ＪＰＥＧエンコーダ１６にビデオ信号を取り込み、ここでＪＰＥＧ圧縮を行う。その後ＪＰＥＧ圧縮データを外部バスを介して画像処理回路１４に転送し、更に、これより高速シリアル転送でＤＳＣ２８に送信する。そして、ＤＳＣ２８では受け取ったＪＰＥＧデータをファイル化してＳＤカード３１に記録する。
【００２４】
ＳＤカード３１から静止画を再生するときには、ＳＤカード３１から読み出したＪＰＥＧデータに対して、ＤＳＣ２８でＪＰＥＧ伸張を行った後、標準方式のテレビ規格に合うようにサイズを変換してから、ビデオエンコーダ／デコーダ１７を経由して表示器２２に表示したり、ビデオ信号として外部へ出力する。
【００２５】
上述の説明では、ＣＦカードにＤＶフォーマット信号、ＳＤカードにＭＰＥＧ４信号とする例を挙げたが、ＣＦカードとＳＤカードとは同じ信号形式でもよく、また画像、音声、その他データなど複数の信号形式が混在する構成としてもよい。
【００２６】
次に、以上の記録再生動作を行う実施例のビデオカメラ１を用いて、ＣＦカードとＳＤカードとの記録メディア間で画像データを複写及び移動する動作について、図２のフローチャート等を併せ参照して詳細に説明する。
【００２７】
データの転送動作が開始されると、まず複写（コピー）か移動（ムーブ）かを選択する（Ｓ２０１）。ここでコピーが選択されると（Ｓ２０１コピー）次にコピー元及びコピー先の記録メディアを選択する（Ｓ２０２）。そしてコピーもとの記録メディアからコピーするデータを選択する。まず、静止画、動画、あるいは音声のファイル種類を選択し（Ｓ２０３）、ファイル単位を全ファイル単位、選択したファイル単位、フォルダ単位、あるいは選択したプレイリスト単位で行うかを選択する（Ｓ２０４）。
【００２８】
コピーを行うデータが確定された後、確定されたデータをコピー元記録メディアからＳＤＲＡＭ３３へ一旦記憶させる（Ｓ２０５）。ここで再度コピーするかどうか確認する（Ｓ２０６）。コピーを行わない選択がされた場合（Ｓ２０６Ｎｏ）開始場面に戻る（Ｓ２０１）。
【００２９】
コピーを行う選択がされた場合（Ｓ２０６Ｙｅｓ）、コピー先の記録メディアに先のコピー確定データと同じファイル名、フォルダ名がないかどうかを調べ、ある場合はＳＤＲＡＭ３３へ一旦記憶させたコピー確定データのファイル名、フォルダ名を変更する（Ｓ２０７）。
【００３０】
ファイル名、フォルダ名を変更する手順（Ｓ２０７）について図３に一例を挙げ説明する。ファイル単位でコピーする場合を想定したものである。同図（ａ）はコピー元メディアのコピー対象ファイルを示したものである。（ｂ）はコピー先メディアにディレクトリ構造がない場合、（ｃ）はコピー先メディアにディレクトリ構造がある場合のコピー例を示したものである。
【００３１】
同図（ａ）に示すようにコピー元メディアの中からコピー対象ファイル選択する。前述のコピーを行う選択がされた場合、これら選択されたファイルをＳＤＲＡＭ３３へ一旦記憶させると共に、コピー先メディアのディレクトリ構造を検出する。（ｂ）に示すようにディレクトリ構造がない場合、「ＤＣＩＭ」フォルダを作成する。サブフォルダの「＊＊＊ＪＶＣＳＯ」を１００から連番で作成し、ファイル名は変更せずにコピーすなわちコピー先メディアに書き込む（Ｓ２０８）。
【００３２】
（ｃ）に示すようにディレクトリ「ＤＣＩＭ」がすでにあった場合、「ＤＣＩＭ」の下層にコピーを行うようにする。さらにサブフォルダの「１００ＪＶＣＧＲ」が存在する場合には、その最大フォルダ番号+１の番号からフォルダ名を付与する。そして（ｃ）に示すようにフォルダ構成、ファイル名を維持しコピーすなわちコピー先メディアに書き込む（Ｓ２０８）。
【００３３】
次に、データの移動（ムーブ）について説明する。ムーブが選択されると（Ｓ２０１ムーブ）次にムーブ元及びムーブ先の記録メディアを選択する（Ｓ２１０）。そしてムーブもとの記録メディアからムーブするデータを選択する。まず、静止画、動画、あるいは音声のファイル種類を選択し（Ｓ２１１）、ファイル単位を全ファイル単位、選択したファイル単位、フォルダ単位、あるいは選択したプレイリスト単位で行うかを選択する（Ｓ２１２）。
【００３４】
ムーブを行うデータが確定された後、確定されたデータをムーブ元記録メディアからＳＤＲＡＭ３３へ一旦記憶させる（Ｓ２１３）。ここで再度ムーブするかどうか確認する（Ｓ２１４）。ムーブを行わない選択がされた場合（Ｓ２１４Ｎｏ）開始場面に戻る（Ｓ２０１）。
【００３５】
ムーブを行う選択がされた場合（Ｓ２１４Ｙｅｓ）、ムーブ先の記録メディアに先のムーブ確定データと同じファイル名、フォルダ名がないかどうかを調べ、ある場合はＳＤＲＡＭ３３へ一旦記憶させたムーブ確定データのファイル名、フォルダ名を変更する（Ｓ２１５）。
【００３６】
ファイル名、フォルダ名を変更する手順（Ｓ２１５）については、上述のコピーの場合と同様である。ファイル単位でムーブする場合を想定したものを図３により説明する。同図（ａ）はムーブ元メディアのムーブ対象ファイルを示したものである。（ｂ）はムーブ先メディアにディレクトリ構造がない場合、（ｃ）はムーブ先メディアにディレクトリ構造がある場合のムーブ例を示したものである。以上のように読みかえる。
【００３７】
（ｂ）に示すようにディレクトリ構造がない場合、「ＤＣＩＭ」フォルダを作成する。サブフォルダの「＊＊＊ＪＶＣＳＯ」を１００から連番で作成し、ファイル名は変更せずにムーブすなわちムーブ先メディアに書き込む（Ｓ２１６）。
【００３８】
（ｃ）に示すようにディレクトリ「ＤＣＩＭ」がすでにあった場合、「ＤＣＩＭ」の下層にムーブを行うようにする。さらにサブフォルダの「１００ＪＶＣＧＲ」が存在する場合には、その最大フォルダ番号+１の番号からフォルダ名を付与する。そして（ｃ）に示すようにフォルダ構成、ファイル名を維持しムーブすなわちムーブ先メディアに書き込む（Ｓ２１６）。
【００３９】
ムーブの場合は、ムーブ先メディアにデータを書き込んだ後、ムーブ元メディアのデータを削除する（Ｓ２１７）。
【００４０】
上述の説明ではファイル単位の静止画を選択したファイル単位でコピー、あるいはムーブする例を挙げ説明したが、動画、あるいは音声のファイル、ファイル単位を全ファイル単位、フォルダ単位、あるいは選択したプレイリスト単位で行ってもよい。これらの場合もコピーあるいはムーブ先メディアにディレクトリ構造がない場合、ディレクトリ構造がある場合を検出し、できるだけコピーあるいはムーブ元メディアのディレクトリ構造を引き継ぐようにフォルダ、サブフォルダを付与するようにする。
【００４１】
また、図３ではファイル名を表示させて選択したが、ファイルを表示面に分割表示いわゆるサムネイル表示させ、視覚的に選択するよう構成してもよい。
【実施例２】
【００４２】
図４を用いて、コピーあるいはムーブする際、指定のファイル名を入力する構成とした例を説明する。
通常記録メディアが１種類装備されている記録装置のデータをコピーあるいはムーブする場合、ＰＣを用いることが考えられる。しかしながら、ＰＣを用いた場合コピーあるいはムーブ元とコピーあるいはムーブ先で同じ名前のファイルが存在する場合「同じ名前のファイルが存在します。上書きしますかＹｅｓ・Ｎｏ」といった表示がなされ、上書きするか、動作を終了する選択肢しかない。コピーあるいはムーブを行う場合、一旦コピーあるいはムーブ元のファイル名を変更して再度コピーあるいはムーブを行う必要がある。または、コピーあるいはムーブ先に異なるディレクトリあるいはフォルダを作成した後、再度コピーあるいはムーブを行う必要がある。
【００４３】
本発明におけるビデオカメラの場合、複数の記録メディアを装備しており、データのコピーあるいはムーブはユーザがコマンドを入力することにより開始されるので、上述のような煩雑な動作はユーザの利便性を損なうものである。そこで、実施例１のように自動的にファイル名等を変更する構成以外に、コピーあるいはムーブする場合指定のファイル名を入力する構成とした例である。
【００４４】
図２におけるＳ２０７・Ｓ２１５に相当するステップである。コピーあるいはムーブを決定選択する表示を図４（ａ）に、同図（ｂ）にファイル名入力場面の表示を、（ｃ）に正常動作確認の場面表示を示す。
（ａ）において実行を選択すると（ｂ）に示すようなファイル名入力場面が表示される。本実施例に適用されるビデオカメラの場合、表示画面が大きくすることができない小型の装置が想定される。この（ｂ）に示すようにキーボードを表示し選択するように構成することにより限られた表示画面においても対応することができる。
【００４５】
（ｂ）の画面ある文字をダイレクトに、または上下左右キーを用いて選択しファイル名を入力する。入力が終わると決定キーを選択する。ファイル名が決定されるとコピーあるいはムーブ先に決定されたファイル名で選択されたデータを書き込み、コピーの場合は動作終了、ムーブの場合はムーブ元のデータを削除して動作終了となる。
【実施例３】
【００４６】
図５を用いて、磁気テープ、ＣＦカード、ＳＤカードを装備した実施例３について説明する。上述の実施例１及び実施例２では、記録メディアにＣＦカード、ＳＤカードを用いる例を説明したが、磁気テープ、ＣＦカード、ＳＤカードを装備したビデオカメラとして構成してもよい。同図に示すように、ＤＶＣデッキ５０がＤＶコーデック１８に接続され、ＳＤカード３１と並列にＣＦカード２０をＤＳＣ２８に接続した例である。
【００４７】
実施例１、実施例２では２種類の記録メディア、実施例３では３種類の記録メディアの例を説明したが、なお多数の記録メディアを装備する構成としてもよい。また、記録メディア接続部を共用な構造とし複数の記録メディアが使用可能な構成としてもよい。
【００４８】
さらには、実施例１と実施例２とを組合わせ、自動的にファイル名を付与する構成とファイル名を入力する構成とを有し選択可能なようにしてもよい。
【００４９】
各実施例においてはビデオカメラを例に説明したが、ＤＶ規格、ＪＰＥＧなどに限らずどのようなデータ構造を用いてもよく、撮像手段がない音声記録装置、データ記録装置に適用してもよい。
【図面の簡単な説明】
【００５０】
【図１】実施例１及び実施例２に適用されるビデオカメラの構成を示した概略ブロック図である
【図２】記録メディア間でデータを複写及び移動する動作について説明するためのフローチャートである。
【図３】ファイル名、フォルダ名を変更する手順の一例を説明するための図である。
【図４】ファイル名、フォルダ名を入力する手順の一例を説明するための図である。
【図５】実施例３に適用されるビデオカメラの構成を示した概略ブロック図である。
【符号の説明】
【００５１】
１１…光学系
１２…撮像素子
１３…ＡＦＥブロック
１４…画像処理回路
１６…カメラ／ＪＰＥＧエンコーダ
１７…ビデオエンコーダ／デコーダ
１８…ＤＶコーデック
１９…音声セレクタ／マイクアンプ
２０…ＣＦカード
２１…オンスクリーンディスプレイ（ＯＳＤ）
２２…表示器
２３…マイク
２４…システムＣＰＵ（中央処理装置）
２５…ユーザインタフェース（ＵＩ）
２６…時計回路（ＲＴＣ）
２７…電源回路（ＲＥＧ）
２８…マイコン（ＤＳＣ）
３０…音声用ＡＤＣ／ＤＡＣ
３１…ＳＤカード（メモリカード）
３２…リード・オンリ・メモリ（ＲＯＭ）
３３…シンクロナス・ダイナミック・ランダム・アクセス・メモリ（ＳＤＲＡＭ）
【図１】
2006042115.tif 000003
【図２】
2006042115.tif 000004
【図３】
2006042115.tif 000005
【図４】
2006042115.tif 000006
【図５】
2006042115.tif 000007